(57)【要約】【課題】電線カバーの損傷を防止する。【解決手段】ハウジング１１には、電線Ｗの端末に接続した端子金具が収容可能とされるとともに、その後面１１ａ側には引き出された電線Ｗの周りを取り囲む電線カバー１３が装着される。ハウジング１１には、片部１８が設けられ、その外面に被ロック部１７が設けられる。電線カバー１３の上壁２１及び下壁２２には、片部１８の外側に配されて被ロック部１７に係止することで、電線カバー１３を装着状態に保持可能なロック片２６と、片部１８の内側に進入可能な受け片２８とが設けられている。電線カバー１３の周壁には、その壁面に沿い且つ前後方向と交差する向きに沿って延びる形態のリブ３２が設けられている。受け片２８Ａには、リブ３２に連結される補強部３３が設けられている。【選択図】図６
2008123899.tif 000002
【特許請求の範囲】
【請求項１】
電線の端末に接続した端子金具が収容されるコネクタハウジングの後面側に、引き出された前記電線の周りを取り囲む電線カバーが装着されるものであって、
前記コネクタハウジングには、片部が設けられるとともに、その片部の外面に被ロック部が設けられるのに対し、前記電線カバーを構成する周壁には、前記片部の外側に配されるとともに前記被ロック部に対して係止することで、前記電線カバーを装着状態に保持可能なロック片と、前記片部の内側に進入可能な受け片とが設けられており、
前記電線カバーの周壁には、その壁面に沿い且つ前記コネクタハウジングに対する前記電線カバーの着脱方向と交差する方向に沿って延びる形態のリブが設けられ、
前記受け片には、前記リブに連結される補強部が設けられていることを特徴とするカバー付きコネクタ。
【請求項２】
前記補強部は、前記受け片に対して前後方向について全長にわたって設けられていることを特徴とする請求項１記載のカバー付きコネクタ。
【請求項３】
前記補強部には、前記受け片と対向するとともに、前記片部の外側に配される補助位置決め部が設けられていることを特徴とする請求項１または請求項２記載のカバー付きコネクタ。
【請求項４】
前記電線カバーのうち、前記コネクタハウジングに対する装着口、及び前記受け片及び前記ロック片が設けられた壁の双方に隣接する面に電線引き出し口が開口して設けられ、この電線引き出し口の周縁からは、さらにその開口方向及び前記電線カバーの着脱方向の双方と交差する向きに突出する電線引き出し壁が設けられており、
前記電線引き出し壁に近接する前記受け片に前記補強部が設けられるとともに、その補強部が連結された前記リブが前記電線引き出し壁にまで延設されていることを特徴とする請求項１ないし請求項３のいずれか１項に記載のカバー付きコネクタ。
【請求項５】
前記リブは、前記ロック片の基端部に対して連結されていることを特徴とする請求項４記載のカバー付きコネクタ。
【発明の詳細な説明】
【技術分野】
【０００１】
本発明は、カバー付きコネクタに関する。
【背景技術】
【０００２】
従来、カバー付きコネクタは、電線の端末に接続した端子金具が収容されるコネクタハウジング（以下、単にハウジングという）と、その後面側に装着されるとともに引き出された電線を取り囲む電線カバーとから構成される。この種のカバー付きコネクタにおける電線カバーのロック構造として、特許文献１に記載されたものが知られている。
【０００３】
このものでは、図１２に示すように、ハウジング１に一体化されたフレーム２の外周壁に設けられた片部３の外面に被ロック部４が外方へ突出して設けられている。これに対し、電線カバー５の周壁のうち上壁５ａ及び下壁５ｂの前端部には、前方へ突出するとともに片部３の外側に配されて被ロック部４に対して係止可能なロック片６が設けられるとともに、前方へ突出して片部３の内側に進入する受け片７が設けられている。電線カバー５をハウジング１のフレーム２に装着すると、片部３の内側に受け片７が進入するとともに、片部３の外側に配されるロック片６が被ロック部４に係止することで、電線カバー５が装着状態に保持される。
【特許文献１】特開平８−６４２９５号公報
【発明の開示】
【発明が解決しようとする課題】
【０００４】
上記したカバー付きコネクタにおいて、引き出された電線Ｗを例えば上方または下方へ引っ張るような力が作用した場合、次のような問題が生じるおそれがある。すなわち、引っ張られた電線Ｗから作用する力によって、電線カバー５の上壁５ａや下壁５ｂが上方または下方へ傾くようにして変形する。このとき、受け片７、ロック片６、及び片部３も上壁５ａや下壁５ｂと同様に変形することになるが、ここで、フレーム２の一部である片部３やロック構造をなすロック片６に比べ、受け片７の方が強度が低いことが多いため、作用する力が過大だった場合には受け片７が破損するおそれがあった。受け片７が破損すると、その勢いでロック状態が解除されて、電線カバー５が外れる可能性もある。
【０００５】
本発明は上記のような事情に基づいて完成されたものであって、電線カバーの損傷を防止することを目的とする。
【課題を解決するための手段】
【０００６】
本発明は、電線の端末に接続した端子金具が収容されるコネクタハウジングの後面側に、引き出された前記電線の周りを取り囲む電線カバーが装着されるものであって、前記コネクタハウジングには、片部が設けられるとともに、その片部の外面に被ロック部が設けられるのに対し、前記電線カバーを構成する周壁には、前記片部の外側に配されるとともに前記被ロック部に対して係止することで、前記電線カバーを装着状態に保持可能なロック片と、前記片部の内側に進入可能な受け片とが設けられており、前記電線カバーの周壁には、その壁面に沿い且つ前記コネクタハウジングに対する前記電線カバーの着脱方向と交差する方向に沿って延びる形態のリブが設けられ、前記受け片には、前記リブに連結される補強部が設けられている。
【０００７】
このようにすれば、電線カバーをコネクタハウジングに装着すると、片部の内側に受け片が進入するとともに、片部の外側に配されたロック片が被ロック部に対して係止することで、電線カバーがコネクタハウジングに対して装着状態に保持される。この状態で、例えば電線に作用する引っ張り力により、電線カバーの周壁が傾くようにして変形した場合、受け片、ロック片、及び片部にも同様に変形させるような力が作用するものの、比較的強度に劣る受け片には、リブに連結された補強部が設けられることで、その補強が図られているから、受け片が損傷を受けるのを防ぐことができる。
【０００８】
本発明の実施態様として、次の構成が好ましい。
（１）前記補強部は、前記受け片に対して前後方向について全長にわたって設けられる構成とする。これにより、受け片をしっかりと補強することができる。
【０００９】
（２）前記補強部には、前記受け片と対向するとともに、前記片部の外側に配される補助位置決め部が設けられる構成とする。これにより、受け片とともに補助位置決め部によってハウジングに対する電線カバーの位置決めを図ることができ、組み付け作業性の向上を図ることができる。
【００１０】
（３）前記電線カバーのうち、前記コネクタハウジングに対する装着口、及び前記受け片及び前記ロック片が設けられた壁の双方に隣接する面に電線引き出し口が開口して設けられ、この電線引き出し口の周縁からは、さらにその開口方向及び前記電線カバーの着脱方向の双方と交差する向きに突出する電線引き出し壁が設けられており、前記電線引き出し壁に近接する前記受け片に前記補強部が設けられるとともに、その補強部が連結された前記リブが前記電線引き出し壁にまで延設される構成とする。このように、電線が電線引き出し口に向けて一度屈曲された後、電線引き出し壁に沿って再度屈曲されるものでは、電線が引っ張られて電線引き出し壁に変形が生じたとき、電線引き出し壁に近接する受け片に大きな力が作用することになるが、その受け片には補強部が設けられ、且つその補強部が連結されたリブが電線引き出し壁にまで延設されているので、その受け片の損傷を有効に防止することができる。
【００１１】
（４）前記リブは、前記ロック片の基端部に対して連結される構成とする。これにより、受け片のさらなる補強を図ることができる。
【発明の効果】
【００１２】
本発明によれば、電線カバーの損傷を防止することができる。
【発明を実施するための最良の形態】
【００１３】
＜実施形態＞
本発明の一実施形態を図１ないし図１１によって説明する。本実施形態では、途中で電線Ｗを２度屈曲させるタイプのカバー付きコネクタ１０を例示する。
【００１４】
このカバー付きコネクタ１０は、電線Ｗの端末に接続された図示しない端子金具を収容可能なコネクタハウジング１１（以下、単にハウジング１１という）と、ハウジング１１に対して側方から装着されるレバー１２と、ハウジング１１の後面１１ａ側に後方から装着される電線カバー１３とから構成される。なお、以下では、ハウジング１１に対する電線カバー１３の装着方向（図３の上方）を前方、逆の取り外し方向（図３の下方）を後方とし、また上下方向については図４を基準として説明する。
【００１５】
ハウジング１１は、合成樹脂製とされ、図１，図３，及び図４に示すように、全体として横長な略ブロック状に形成されている。ハウジング１１の上下両端部における両側面には、両側方のいずれか一方からレバー１２を装着可能なレバー装着口１４が開口して設けられている。このレバー１２は、図示しない相手コネクタを当該カバー付きコネクタ１０と嵌合接続する際にその嵌合動作を助勢するためのものである。
【００１６】
ハウジング１１のうち上下のレバー装着口１４間には、端子金具を収容可能な端子収容部１５が設けられている。この端子収容部１５には、大小２種類の大きさの端子金具を個別に収容可能なキャビティ１６が、端子収容部１５の後面側に開口する形態で設けられている。このキャビティ１６に対して後方から端子金具を挿入できるようになっている。キャビティ１６は、上下方向及び幅方向について複数室並んで設けられている。端子収容部１５のうち、各キャビティ１６の周壁１６ａについては、ハウジング１１の後面１１ａから後方へ突出しており、大型の端子金具用とされる大径のキャビティ１６の周壁１６ａの方が、小型の端子金具用とされる小径のキャビティ１６の周壁１６ａよりも突出寸法が大きく設定されている。
【００１７】
ハウジング１１の後面１１ａには、被ロック部１７を有する片部１８が設けられている。片部１８は、図１，図３，及び図５に示すように、ハウジング１１の両側端位置よりは内側で且つ端子収容部１５に対して上下に隣接する位置に設置されており、上下に一対、幅方向左右に一対、合計４つ配されている。片部１８は、ハウジング１１の後面１１ａから後方へ向けて突出する板片状をなしている。片部１８は、後方に行くに連れて幅寸法が次第に減少する形態とされ、平面視略台形状をなしている。また、片部１８の厚み寸法は、全長にわたってほぼ一定とされる。
【００１８】
この片部１８における後方への突出端部の外面（上下方向について対向する相手の片部１８側とは反対側の面）には、外方へ突出する被ロック部１７が設けられている。被ロック部１７は、片部１８の外面から上方または下方へ突出する略ブロック状に形成されている。被ロック部１７の後面は、後述する電線カバー１３のロック片２６の乗り上げを案内すべくテーパ状に形成されている。この片部１８のうち被ロック部１７が設けられた外面とは反対側の内面には、片部１８を補強するための片部補強リブ１９が設けられている。片部補強リブ１９は、前後方向に沿って延出し、ハウジング１１の後面１１ａに連結されている。また、ハウジング１１の後面１１ａのうち各片部１８に対して幅方向について外側（両側端位置）には、装着される電線カバー１３を幅方向についてガイド可能なガイド部２０が４つ設けられている。
【００１９】
電線カバー１３は、図２ないし図４に示すように、全体として前面及び一方側の側面（図２に示す右側面）が開口した略箱型に形成されている。詳しくは、電線カバー１３は、上下に対向する上壁２１及び下壁２２のうち、後端部同士が後壁２３により、他方側の側端部（図２に示す左側端部）同士が側壁２４によって連結された構成とされる。電線カバー１３の前面側には、上壁２１、下壁２２、及び側壁２４により囲まれて前方へ開口する形態のハウジング１１に対する装着口２５が形成されている。この装着口２５を通して電線カバー１３内に、ハウジング１１の後面１１ａ側（各キャビティ１６の周壁１６ａの後端）から引き出された電線Ｗ群が収容可能とされる。
【００２０】
電線カバー１３のうち、上壁２１及び下壁２２には、ハウジング１１の被ロック部１７に対して係止されることで、電線カバー１３をハウジング１１に対して装着状態に保持可能なロック片２６が設けられている。ロック片２６は、上壁２１及び下壁２２の両側端位置よりはやや内寄りの位置に一対ずつ、合計４本設置されている。ロック片２６は、図２，図３，及び図５に示すように、上壁２１及び下壁２２の外面から外方へ突出してから、前方へ向けてさらに突出する片持ち状に形成されている。ロック片２６は、上壁２１や下壁２２と連結された基端部を支点として、上下方向に沿って弾性変形可能とされる。ロック片２６は、基端部が上壁２１及び下壁２２の前端位置よりも奥まった位置とされ、自由端部の前端面が上壁２１及び下壁２２の前端位置とほぼ面一状をなす。
【００２１】
ロック片２６における幅方向略中央には、自由端部を除いて後方へ開放する形態のロック溝２７が形成されており、ハウジング１１に対する装着時にはロック片２６が片部１８の外側に配されるとともに被ロック部１７がロック溝２７内に進入してその溝縁の前縁（自由端部の後端面）に対して被ロック部１７の後端面が係止可能とされる（図９）。そして、上壁２１及び下壁２２のうち、ロック片２６の内側に対向する部位が、装着時に片部１８の内側に進入可能な受け片２８を構成している。装着過程では、ハウジング１１の片部１８の内面に対して受け片２８が摺接されることで、ハウジング１１に対して電線カバー１３を上下方向（電線カバー１３の着脱方向と交差（直交）する方向）について位置決め可能とされる。装着時には、これら受け片２８とロック片２６との間にハウジング１１側の片部１８が挟まれるようになっている。この受け片２８における幅方向略中央には、片部補強リブ１９を嵌合可能な逃がし溝２９が形成されている。
【００２２】
上記したハウジング１１に対する電線カバー１３のロック構造は、図１及び図２に示すように、上下対称となっているので、電線カバー１３は、上下方向について反転した２姿勢（後記する電線引き出し壁３１が上を向いた姿勢と、下を向いた姿勢）のいずれであってもハウジング１１に対する装着が許容されており、いずれかの装着姿勢を任意に選択することが可能とされる。
【００２３】
電線カバー１３における側壁２４とは反対側の側面（ロック片２６が設けられた上壁２１及び下壁２２と、装着口２５との双方に隣接する面）には、図２ないし図４に示すように、上壁２１、下壁２２、及び後壁２３により囲まれて側方へ開口する形態の電線引き出し口３０が形成されている。電線カバー１３内で一度屈曲させた電線Ｗ群は、電線引き出し口３０を通して電線カバー１３の側方（図２に示す左側）へ引き出すことが可能とされる。
【００２４】
そして、この電線引き出し口３０の周縁からは、電線引き出し壁３１が設けられている。詳しくは、電線引き出し壁３１は、電線引き出し口３０の周縁を構成する上壁２１及び後壁２３の側端部から上下方向（電線カバー１３の着脱方向である前後方向と電線引き出し口３０の開口方向である幅方向との双方に直交する方向）に沿って延びつつ、図２に示す上向きに突出している。電線引き出し壁３１は、上壁２１側から後壁２３側にかけて湾曲していて、断面略弧状に形成されている。なお、以下では、この電線引き出し壁３１に近接する図２に示す左上位置のロック片２６及び受け片２８については、他のロック片２６及び受け片２８と区別するために添え字Ａを付すものとし、またロック片２６及び受け片２８を区別せずに総称する場合には、符号に添え字を付さないものとする。
【００２５】
電線カバー１３のうち、電線引き出し壁３１が連結された上壁２１の外面には、電線カバー１３を補強するためのリブ３２が設けられている。リブ３２は、上壁２１から電線引き出し壁３１に跨る範囲に形成され、前後方向（電線カバー１３の着脱方向）と交差する方向に沿って延出するとともに両壁２１，３１の外面から外方へ突出する形態とされる。詳しくは、リブ３２は、上壁２１のうち電線引き出し壁３１側の側端部（電線引き出し壁３１に近接するロック片２６Ａよりも端寄りの部分）から、電線引き出し壁３１の基端側約半分程度の範囲にまで延設されている。さらに詳しくは、このリブ３２は、電線引き出し壁３１に近接するロック片２６Ａの基端部に連結されており、そこから図３に示す右斜め前方へ延びて上壁２１の前端位置に達したところで屈曲されて幅方向に沿って延び、それから電線引き出し壁３１の外面に沿って弧状に湾曲しつつ上方へ延出している。
【００２６】
そして、電線引き出し壁３１に近接する受け片２８Ａには、図２，図３，及び図６に示すように、上記したリブ３２に連結された補強部３３が設けられている。補強部３３は、受け片２８Ａのうち逃がし溝２９に対して電線引き出し壁３１寄りの部分における側端部に設けられている。補強部３３は、受け片２８Ａの外面から外方へ突出するとともに、前後方向に沿って延出する形態とされる。補強部３３は、受け片２８Ａに対して前後方向について全長にわたる範囲に設けられており、その後端部がリブ３２に対して連結されている。リブ３２における補強部３３との連結箇所は、リブ３２のうち上壁２１の壁面に沿って延びる部分における屈曲部分とされている。
【００２７】
この補強部３３の突出端部からは、受け片２８Ａと対向する補助位置決め部３４が設けられている。補助位置決め部３４は、補強部３３の突出端部からロック片２６Ａ側（電線引き出し壁３１側とは反対側）へ突出する庇状をなしており、受け片２８Ａとの間に所定の隙間（片部１８の厚み寸法とほぼ同じかそれより少し大きな寸法）を空けた状態で対向している。この補助位置決め部３４は、ハウジング１１への装着に伴って片部１８の外側に配されるようになっており、このとき受け片２８Ａと補助位置決め部３４との間で片部１８が挟み込まれるようになっている。補助位置決め部３４は、前後方向について補強部３３の全長にわたる範囲に形成されるとともに、その後端部がリブ３２のうち斜め前方に延びる傾斜部分の突出端部に連結されている。
【００２８】
補強部３３及び補助位置決め部３４の外面は、共にロック片２６Ａの外面とほぼ面一状をなしている。さらには、補強部３３及び補助位置決め部３４の前端面は、共にロック片２６Ａ及び受け片２８Ａの前端面とほぼ面一状をなしている。
【００２９】
本実施形態は以上のような構造であり、続いてその作用を説明する。本実施形態に係るカバー付きコネクタ１０の組み付け手順を説明する。まず、図３及び図４に示すように、レバー１２を装着した状態のハウジング１１に対して電線Ｗの端末に接続した各端子金具を挿入する作業を行う。全ての端子金具が収容されたところで、続いて電線カバー１３の組み付け作業を行う。
【００３０】
ハウジング１１の後面１１ａから引き出された電線Ｗ群を、その引き出し予定方向へ屈曲させておくとともに、電線カバー１３の電線引き出し口３０を引き出し予定方向に一致させつつ、電線カバー１３をハウジング１１の後方から組み付ける。このとき、電線カバー１３は、電線引き出し口３０が図３に示す左右いずれを向いた姿勢（上下に反転したいずれの姿勢）でもハウジング１１に対して装着可能とされるので、電線Ｗの引き出し方向の自由度が高くなっている。
【００３１】
電線カバー１３がハウジング１１の後面１１ａ側に装着される過程では、図５に示すように、片部１８が受け片２８とロック片２６との間の隙間に進入するとともに、被ロック部１７にロック片２６が乗り上げることで、ロック片２６が一旦外側に開くようにして弾性変形される。このとき、各受け片２８によってハウジング１１に対して電線カバー１３が上下方向について位置決めされるとともに、各ガイド部２０によってハウジング１１に対して電線カバー１３が幅方向について位置決めされる。特に、電線引き出し壁３１に近接する受け片２８Ａには、図６に示すように、その外側に補助位置決め部３４が対向して設けられているから、この補助位置決め部３４によっても電線カバー１３の上下方向についての位置決めがなされる。
【００３２】
そして、電線カバー１３がハウジング１１に対して正規位置に装着されると、図７ないし図１１に示すように、ロック片２６が弾性復帰するとともに被ロック部１７がロック溝２７内に進入して、その溝縁の前縁に対して被ロック部１７の後端面が係止される。これにより、電線カバー１３がハウジング１１に対して装着状態に保持される。電線引き出し口３０から引き出された電線Ｗ群は、電線引き出し壁３１に沿うよう上向きに再度屈曲されて上方外部へと引き出される。なお、図７及び図８では、電線Ｗ群を二点鎖線にて表している。
【００３３】
上記のようにして組み付けられたカバー付きコネクタ１０において、外部に引き出された電線Ｗ群が引っ張られる場合がある。電線Ｗ群が図８に示す矢線方向へ引っ張られると、電線引き出し壁３１が電線Ｗ群によって同方向へ押圧され、それに伴って電線カバー１３の上壁２１及び下壁２２が傾くように変形させられることがある。このとき、受け片２８、ロック片２６、及び片部１８にも同様に変形させるような力が作用することになり、中でも比較的強度に劣る受け片２８が損傷を受けることが懸念される。特に、受け片２８の中でも電線引き出し壁３１に近接する受け片２８Ａには、過大な力が作用し勝ちであり、この受け片２８Ａの損傷が第一に危惧されるところである。
【００３４】
ところが、本実施形態では、電線引き出し壁３１に近接する受け片２８Ａには、リブ３２に連結された補強部３３が設けられることで、その補強が図られているから、上記のような力が作用した場合でも、受け片２８Ａが損傷を受け難くすることができる。これにより、電線カバー１３の損傷を防ぐことができるとともに、損傷に伴って電線カバー１３がハウジング１１から外れるような事態を回避することができる。
【００３５】
しかも、補強部３３が連結されたリブ３２は、電線カバー１３の上壁２１や後壁２３から上方へ突出する形態の電線引き出し壁３１にまで延設されているので、受け片２８Ａの損傷を有効に防止することができる。さらには、リブ３２が電線引き出し壁３１に近接するロック片２６Ａの基端部に対して連結されているから、受け片２８Ａのさらなる補強を図ることができる。
【００３６】
また、補強部３３は、受け片２８Ａに対して前後方向について全長にわたって設けられているから、受け片２８Ａをしっかりと補強することができる。
【００３７】
また、補強部３３には、受け片２８Ａと対向するとともに、片部１８の外側に配される補助位置決め部３４が設けられているから、受け片２８Ａとともに補助位置決め部３４によってハウジング１１に対する電線カバー１３の位置決めを図ることができ、組み付け作業性の向上を図ることができる。
【００３８】
＜他の実施形態＞
本発明は上記記述及び図面によって説明した実施形態に限定されるものではなく、例えば次のような実施形態も本発明の技術的範囲に含まれる。
【００３９】
（１）上記した実施形態では、電線引き出し壁に近接する受け片にのみ補強部を設けた場合を示したが、電線カバーにおけるリブの形成範囲を拡大するとともに、他の受け片にもリブに連結した補強部を設けるようにしてもよい。なお、補強部、補助位置決め部やリブの形状や電線カバーの周壁における形成範囲などについては適宜に変更可能である。
【００４０】
（２）補助位置決め部を省略したものも本発明に含まれる。
【００４１】
（３）上記した実施形態では、片部がハウジングの後面から片持ち状に突出する形態のものを例示したが、それ以外にも例えば、ハウジングの外周壁に受け片を受け入れ可能な溝を形成し、その溝の外側部分により片部が構成されるものにも本発明は適用可能である。
【００４２】
（４）上記した実施形態では、電線カバーの周壁の一部（前端部）が受け片を構成する場合を例示したが、電線カバーの周壁から受け片が前方へ向けて片持ち状に突出する形態のものも本発明に含まれる。
【００４３】
（５）上記した実施形態では、リブがロック片の基端部に連結されたものを例示したが、リブとロック片とが分離されたものも本発明に含まれる。
【００４４】
（６）上記した実施形態では、リブが電線引き出し壁にまで延設された場合を例示したが、リブが電線引き出し壁にまで延設されないものも本発明に含まれる。
【００４５】
（７）上記した実施形態では、電線引き出し壁が上下方向に沿って延出するものを例示したが、例えば電線引き出し壁が斜めに延びるものも本発明に含まれる。
【００４６】
（８）上記した実施形態では、電線引き出し口が、電線カバーのうちロック片及び受け片が設けられた上壁や下壁と隣接する側面側に設けられた場合を示したが、電線引き出し口が、電線カバーのうちロック片及び受け片が設けられた壁（上壁や下壁）に設けられるものも本発明に含まれる。また、電線引き出し口や電線引き出し壁が２つ以上設置されるものも本発明に含まれる。
【００４７】
（９）上記した実施形態では、電線引き出し壁を設けることで、ハウジングから引き出した電線を二度屈曲させるものを例示したが、電線引き出し壁を省略するとともに電線を一度だけ屈曲させるものも本発明に含まれる。その他にも、電線引き出し口が電線カバーの後壁に設けるとともに、電線を屈曲させることなくほぼ真っ直ぐに引き出すようにしたものも本発明に含まれる。
【００４８】
（１０）上記した実施形態では、電線カバーが一部品からなるものを例示したが、電線カバーが一対の半割部品を組み付けてなる二部品構成であってもよく、そのようなものも本発明に含まれる。
【００４９】
（１１）上記した実施形態では、被ロック部が片部から突出し、ロック片がロック溝を有するものを例示したが、被ロック部が片部の外面を凹ませる孔状に形成されるとともに、ロック片の内面からロック突部が設けられて、そのロック突部が被ロック部の孔縁に係止するロック構造のものにも本発明は適用可能である。
【００５０】
（１２）上記した実施形態では、ハウジングに直接電線カバーが装着される場合を示したが、ハウジングにフレームなどの他の部材が一体的に組み付けられるものにおいて、そのハウジングに組み付けられた部材に対して電線カバーが装着される構造のものも本発明に含まれる。
【図面の簡単な説明】
【００５１】
【図１】本発明の一実施形態に係るハウジングの背面図
【図２】電線カバーの正面図
【図３】ハウジングに対して電線カバーを装着する前の状態を示す平面図
【図４】ハウジングに対して電線カバーを装着する前の状態を示す側面図
【図５】装着前におけるロック構造の側断面図
【図６】装着前におけるロック構造の斜視図
【図７】ハウジングに対して電線カバーを装着した状態を示す平面図
【図８】ハウジングに対して電線カバーを装着した状態を示す側面図
【図９】装着状態におけるロック構造の側断面図
【図１０】装着状態におけるロック構造の斜視図
【図１１】図９のＸ−Ｘ線断面図
【図１２】従来例の断面図
【符号の説明】
【００５２】
１０…カバー付きコネクタ
１１…ハウジング（コネクタハウジング）
１３…電線カバー
１７…被ロック部
１８…片部
２１…上壁（周壁、受け片及びロック片が設けられた壁）
２２…下壁（周壁、受け片及びロック片が設けられた壁）
２３…後壁（周壁）
２４…側壁（周壁）
２５…装着口
２６，２６Ａ…ロック片
２８，２８Ａ…受け片
３０…電線引き出し口
３１…電線引き出し壁（周壁）
３２…リブ
３３…補強部
３４…補助位置決め部
Ｗ…電線
【図１】
2008123899.tif 000003
【図２】
2008123899.tif 000004
【図３】
2008123899.tif 000005
【図４】
2008123899.tif 000006
【図５】
2008123899.tif 000007
【図６】
2008123899.tif 000008
【図７】
2008123899.tif 000009
【図８】
2008123899.tif 000010
【図９】
2008123899.tif 000011
【図１０】
2008123899.tif 000012
【図１１】
2008123899.tif 000013
【図１２】
2008123899.tif 000014